(57)【要約】【課題】ＵＳＢポートの電源供給ピンに接続される電源供給ラインの過電流保護をマイコンのＩ／Ｏポートを用いることなく実現することができる電子機器を提供する。【解決手段】ＵＳＢポート１と、直流安定化電源（トランジスタＱ１、ツェナーダイオードＺＤ１）と、前記電源の入力側に設けられ電源供給ピン１１に接続される電源供給ラインを流れる電流を検出する電流検出部（抵抗Ｒ１、Ｒ２）と、前記電流検出部の出力電圧が過電流基準値以上になるとオンになるトランジスタＱ３と、トランジスタＱ３のオンに伴ってオフになるトランジスタＱ５と、トランジスタＱ３が一旦オンになった後に前記電流検出部の出力電圧が前記過電流基準値未満になってもトランジスタＱ３のオン状態を維持するようにトランジスタＱ３を制御する制御部（トランジスタＱ４及び抵抗Ｒ７〜Ｒ９）とを備え、トランジスタＱ５がオフであるときは前記電源の動作が停止する電子機器。【選択図】図１
2010282574.tif 000002
【特許請求の範囲】
【請求項１】
ＵＳＢポートと、
前記ＵＳＢポートの電源供給ピンに電圧を供給する直流安定化電源と、
前記直流安定化電源の入力側に設けられ、前記ＵＳＢポートの電源供給ピンに接続される電源供給ラインを流れる電流を検出する電流検出部と、
前記電流検出部から出力される電圧が所定の過電流基準値以上になると、オンになる第１のトランジスタと、
前記第１のトランジスタのオンに伴ってオフになる第２のトランジスタと、
前記第１のトランジスタが一旦オンになった後に前記電流検出部から出力される電圧が前記過電流基準値未満になっても前記第１のトランジスタのオン状態を維持するように、前記第１のトランジスタを制御する制御部とを備え、
前記第２のトランジスタがオフであるときは前記直流安定化電源の動作が停止することを特徴とする電子機器。
【請求項２】
直流安定化電源の入力側と出力側とをバイパスするバイパス経路を備え、
前記ＵＳＢポートの電源供給ピンに接続される電源供給ラインを流れる電流が所定値未満のときは前記バイパス経路が遮断し、
前記ＵＳＢポートの電源供給ピンに接続される電源供給ラインを流れる電流が前記所定値以上のときは前記バイパス経路が導通し、
前記所定値が、前記ＵＳＢポートの電源供給ピンに接続される電源供給ラインを流れる電流の過電流よりも小さい請求項１に記載の電子機器。
【請求項３】
前記バイパス経路が、前記バイパス経路が遮断／導通を切り替えるための第３のトランジスタを有する請求項３に記載の電子機器。
【請求項４】
前記直流安定化電源が、出力トランジスタと、前記出力トランジスタのベースに接続されるツェナーダイオードとを有し、前記出力トランジスタの周辺に放熱板を設けない請求項２又は請求項３に記載の電子機器。
【発明の詳細な説明】
【技術分野】
【０００１】
本発明は、ＵＳＢ（Universal Serial Bus）ポートを備える電子機器に関する。
【背景技術】
【０００２】
近年、ＵＳＢポートを備える電子機器が種々市場に提供されている。ＵＳＢ２．０規格では、ＵＳＢポートの電源供給ピンに供給される電流の最大値は５００［ｍＡ］であり、ＵＳＢポートの電源供給ピンに供給される電圧は５［Ｖ］±５％（＝４．７５〜５．２５［Ｖ］）である。したがって、ＵＳＢポートを備える電子機器は、ＵＳＢポートの電源供給ピンに供給される電流が５００［ｍＡ］を越えると、ＵＳＢポートの電源供給ピンに接続される電流供給ラインに対して過電流保護がかかる構成であることが望ましい。
【０００３】
また、ＵＳＢ３．０規格では、ＵＳＢポートの電源供給ピンに供給される電流の最大値は９００［ｍＡ］であるため、ＵＳＢ３．０規格に対応する場合には、ＵＳＢポートの電源供給ピンに供給される電流が９００［ｍＡ］を越えると、ＵＳＢポートの電源供給ピンに接続される電流供給ラインに対して過電流保護がかかる構成にすることが望ましい。
【０００４】
また、ＵＳＢポートを備える電子機器において、ファームウェアをアップデートするためのアップデート用データを格納している特定のＵＳＢメディア（以下、「サービス用ＵＳＢメディア」という）を、サービス対応で上記ＵＳＢポートに接続することにより、ファームウェアをアップデートできる構成にすることが考えられる。上記ＵＳＢポートを上記特定のＵＳＢメディア専用のポートにした場合、上記ＵＳＢポートからサービス用ＵＳＢメディアに供給する電流は５００［ｍＡ］（ＵＳＢ２．０規格の最大供給電流）も必要ないため、上記ＵＳＢポートの電源供給ピンに電源供給ラインを介して接続される電源回路の最大定格電流を５００［ｍＡ］未満にして当該電源回路の低コスト化を図ることができる。しかしながら、上記ＵＳＢポートをサービス用ＵＳＢメディア専用のポートとし、その旨を取り扱い説明書や電子機器本体に明記したとしても、上記ＵＳＢポートにサービス用ＵＳＢメディア以外のＵＳＢメディア（以下、「非サービス用ＵＳＢメディア」という）を接続すること自体は物理的に可能である。このため、ユーザが、上記ＵＳＢポートに非サービス用ＵＳＢメディアを接続するおそれがある。非サービス用ＵＳＢメディアの消費電流が上記ＵＳＢポートの電源供給ピンに電源供給ラインを介して接続される電源回路の最大定格電流以下であれば、ユーザが上記ＵＳＢポートに非サービス用ＵＳＢメディアを接続しても特に問題は生じない。これに対して、非サービス用ＵＳＢメディアの消費電流が上記ＵＳＢポートの電源供給ピンに電源供給ラインを介して接続される電源回路の最大定格電流よりも大きければ、ユーザが上記ＵＳＢポートに非サービス用ＵＳＢメディアを接続すると、上記ＵＳＢポートの電源供給ピンに電源供給ラインを介して接続される電源回路の異常発熱や破損などの問題が生じてしまう。このため、上記ＵＳＢポートの電源供給ピンに供給される電流が上記ＵＳＢポートの電源供給ピンに電源供給ラインを介して接続される電源回路の最大定格電流を越えると、上記ＵＳＢポートの電源供給ピンに接続される電流供給ラインに対して過電流保護がかかる構成にすることが望ましい。
【０００５】
上述した通り過電流の設定値については様々な値が考えられるが、いずれにしてもＵＳＢポートを備える電子機器は、ＵＳＢポートの電源供給ピンに接続される電流供給ラインに対して過電流保護がかかる構成であることが望ましい。そして、ＵＳＢポートの電源供給ピンに接続される電流供給ラインに対して過電流保護がかかる構成にする場合、ＵＳＢポートの電源供給ピンに接続される電流供給ラインを流れる電流に応じた電圧と基準電圧とをコンパレータによって比較し（例えば特許文献３参照）、マイクロコンピュータが当該コンパレータの比較結果から過電流であるか否かを判定し、過電流と判定した場合に当該マイクロコンピュータが、ＵＳＢポートの電源供給ピンに接続される電流供給ラインの通電と遮断を切り替えるスイッチ部を制御して、ＵＳＢポートの電源供給ピンに接続される電流供給ラインを遮断させる構成が一般的な過電流保護の構成である。
【先行技術文献】
【特許文献】
【０００６】
【特許文献１】特開平１０−９７３５２号公報（要約）
【特許文献２】特開２００８−９８９８号公報（要約）
【特許文献３】特開平１１−８５２９１号公報（要約）
【発明の概要】
【発明が解決しようとする課題】
【０００７】
しかしながら、上記一般的な過電流保護の構成では、マイクロコンピュータの２つのＩ／ＯポートをＵＳＢポートの電源供給ピンに接続される電源供給ラインの過電流保護に用いることになり、過電流保護に用いたマイコンのＩ／Ｏポートを他の用途に割り振ることができないという問題がある。
【０００８】
なお、特許文献１ではＵＳＢポートの電源供給ピンに接続される電流供給ラインに対する過電流保護に関する記載はあるが、過電流保護回路の具体的な構成については何ら開示していない。
【０００９】
また、特許文献２はＵＳＢポートを備える電子機器（パーソナルコンピュータ）と当該ＵＳＢポートに接続されるＵＳＢデバイスに関するものである。特許文献２では、ＵＳＢデバイス側に過電流保護回路に設けることは開示しているが、ＵＳＢポートを備える電子機器側に過電流保護回路に設けることは開示していない。
【００１０】
本発明は、上記の状況に鑑み、ＵＳＢポートを備える電子機器であって、当該ＵＳＢポートの電源供給ピンに接続される電源供給ラインの過電流保護をマイクロコンピュータのＩ／Ｏポートを用いることなく実現することができる電子機器を提供することを目的とする。
【課題を解決するための手段】
【００１１】
上記目的を達成するために本発明に係る電子機器は、ＵＳＢポートと、前記ＵＳＢポートの電源供給ピンに電圧を供給する直流安定化電源と、前記直流安定化電源の入力側に設けられ、前記ＵＳＢポートの電源供給ピンに接続される電源供給ラインを流れる電流を検出する電流検出部と、前記電流検出部から出力される電圧が所定の過電流基準値以上になると、オンになる第１のトランジスタと、前記第１のトランジスタのオンに伴ってオフになる第２のトランジスタと、前記第１のトランジスタが一旦オンになった後に前記電流検出部から出力される電圧が前記過電流基準値未満になっても前記第１のトランジスタのオン状態を維持するように、前記第１のトランジスタを制御する制御部とを備え、前記第２のトランジスタがオフであるときは前記直流安定化電源の動作が停止する構成とする。
【００１２】
このような構成によると、ＵＳＢポートの電源供給ピンに接続される電源供給ラインの過電流保護をマイクロコンピュータのＩ／Ｏポートを用いることなく実現することができる。また、このような構成によると、電流検出部を直流安定化電源の入力側に設けているので、大電流が流れた場合でも電流検出部での電圧降下がＵＳＢポートの電源供給ピンに供給する電圧に及ぼす影響が小さくなり、ＵＳＢポートの電源供給ピンに供給する電圧をＵＳＢ規格で定められた範囲に収めることが容易になり、各回路素子の回路定数の精度がさほど要求されないので、低コスト化を図ることができる。
【００１３】
また、直流安定化電源の入力側と出力側とをバイパスするバイパス経路を備え、前記ＵＳＢポートの電源供給ピンに接続される電源供給ラインを流れる電流が所定値未満のときは前記バイパス経路が遮断し、前記ＵＳＢポートの電源供給ピンに接続される電源供給ラインを流れる電流が前記所定値以上のときは前記バイパス経路が導通し、前記所定値を、前記ＵＳＢポートの電源供給ピンに接続される電源供給ラインを流れる電流の過電流よりも小さくするようにしてもよい。また、前記バイパス経路が、前記バイパス経路が遮断／導通を切り替えるための第３のトランジスタを有するようにしてもよい。
【００１４】
上記のようなバイパス経路を備えた構成にする場合、低コスト化の観点から、前記直流安定化電源が、出力トランジスタと、前記出力トランジスタのベースに接続されるツェナーダイオードとを有し、前記出力トランジスタの周辺に放熱板を設けないようにすることが望ましい。
【発明の効果】
【００１５】
本発明によると、ＵＳＢポートを備える電子機器において、ＵＳＢポートの電源供給ピンに接続される電源供給ラインの過電流保護をマイクロコンピュータのＩ／Ｏポートを用いることなく実現することができる。
【図面の簡単な説明】
【００１６】
【図１】本発明に係る液晶テレビの一概略構成例を示すブロック図である。
【図２】ＵＳＢポートの電源供給ピンに供給される電流が３８９［ｍＡ］未満の場合における、ＵＳＢポートの電源供給ピンへの電源供給に関連する部分の等価回路を示す図である。
【図３】ＵＳＢポートの電源供給ピンに供給される電流が３８９［ｍＡ］以上５２０［ｍＡ］未満の場合における、ＵＳＢポートの電源供給ピンへの電源供給に関連する部分の等価回路を示す図である。
【図４】ＵＳＢポートの電源供給ピンに供給される電流が５２０［ｍＡ］以上の場合における、ＵＳＢポートの電源供給ピンへの電源供給に関連する部分の等価回路を示す図である。
【発明を実施するための形態】
【００１７】
本発明の実施形態について図面を参照して以下に説明する。ここでは、本発明に係る電子機器として液晶テレビを例に挙げて説明を行う。本発明に係る液晶テレビの概略構成例を図１に示す。
【００１８】
図１に示す本発明に係る液晶テレビは、端子Ｔ１と、ＵＳＢポート１と、マイクロコンピュータ（以下、マイコンという）２と、負荷３と、リモコン受光部４と、操作キー５と、コンデンサＣ１〜Ｃ３と、ダイオードＤ１及びＤ２と、トランジスタＱ１〜Ｑ５と、抵抗Ｒ１〜Ｒ１２と、ツェナーダイオードＺＤ１とを備えている。ＵＳＢポート１は、電源供給ピン１１と、データ＋ピン１２と、データ−ピン１３と、グランドピン１４とを有している。トランジスタＱ１及びＱ４はそれぞれＮＰＮトランジスタであり、トランジスタＱ２、Ｑ３、及びＱ５はそれぞれＰＮＰトランジスタである。そして、トランジスタＱ３が請求項に記載されている「第１のトランジスタ」の一例であり、トランジスタＱ５が請求項に記載されている「第２のトランジスタ」の一例であり、トランジスタＱ２が請求項に記載されている「第３のトランジスタ」の一例である。
【００１９】
なお、図１に示す本発明に係る液晶テレビは、当然の事ながら、端子Ｔ１に６．５［Ｖ］の電圧を供給する電源部やマイコン２、負荷３、リモコン受光部４、及び操作キー４用の電源部を備えているが、当該電源部は本発明の特徴部分ではないので、ここでは図示及び説明を省略する。また、ＵＳＢポート１のデータ＋ピン１２、ＵＳＢポート１のデータ−ピン１３、負荷３、リモコン受光部４、及び操作キー４はそれぞれマイコン２の各Ｉ／Ｏポートに接続されるが、図１においてはこれらのＩ／Ｏポートの図示を省略する。
【００２０】
負荷３は、チューナ部３１と、映像回路３２と、音声回路３３と、液晶表示部３４と、スピーカ３５とを含んでいる。チューナ部３１は、アンテナ（不図示）から受け取ったテレビ放送信号の選局及び復調を行う。映像回路３２は、チューナ部３１から受け取った映像信号に各種処理（例えば輝度補正やガンマ補正など）を施し、その各種処理を施した映像信号を液晶表示部３４に出力する。液晶表示部３４は映像回路３２の出力信号に基づく表示を行う。音声回路３３は、チューナ部３１から受け取った音声信号に各種処理（例えば音量調整など）を施し、その各種処理を施した音声信号をスピーカ３５に出力する。スピーカ３５は音声回路３３の出力信号に基づく音声を発する。
【００２１】
リモコン受光部４はリモコン送信機（不図示）からの赤外線信号に応じた指示信号をマイコン２に出力する。操作キー５はユーザのキー操作に応じた指示信号をマイコン２に出力する。マイコン２は、リモコン受光部４又は操作キー５からの指示信号に基づき、負荷３の動作（例えばチューナ部３１による選局動作や音声回路３３による音量調整動作など）を制御する。
【００２２】
次に、ＵＳＢポート１の電源供給ピン１１への電源供給に関連する部分の回路構成について説明する。
【００２３】
端子Ｔ１とトランジスタＱ１のコレクタとの間の電源供給ラインに、抵抗Ｒ１及びＲ２から成る並列回路と、抵抗Ｒ３及びＲ４から成る並列回路とが挿入されている。６．５［Ｖ］が印加される端子Ｔ１に抵抗Ｒ１の一端及び抵抗Ｒ２の一端が接続され、抵抗Ｒ１の他端及び抵抗Ｒ２の他端に抵抗Ｒ３の一端及び抵抗Ｒ４の一端が接続され、抵抗Ｒ３の他端及び抵抗Ｒ４の他端にトランジスタＱ１のコレクタが接続される。
【００２４】
トランジスタＱ１のエミッタとＵＳＢポート１の電源供給ピン１１との間の電源供給ラインにコンデンサＣ１及びコンデンサＣ２が設けられる。コンデンサＣ１の一端及びコンデンサＣ２の一端はトランジスタＱ１のエミッタとＵＳＢポート１の電源供給ピン１１との間の電源供給ラインに接続され、コンデンサＣ１の他端及びコンデンサＣ２の他端はグランド電位に接続される。
【００２５】
トランジスタＱ１のベースにツェナーダイオードＺＤ１のカソードが接続され、ツェナーダイオードＺＤ１のアノードがグランド電位に接続される。
【００２６】
トランジスタＱ２のエミッタが抵抗Ｒ３の一端及び抵抗Ｒ４の一端に接続され、トランジスタＱ２のベースが抵抗Ｒ３の他端、抵抗Ｒ４の他端、及びトランジスタＱ１のコレクタに接続され、トランジスタＱ２のコレクタが抵抗Ｒ５を介して、トランジスタＱ１のエミッタに接続される。
【００２７】
トランジスタＱ３のエミッタが抵抗Ｒ１の一端及び抵抗Ｒ２の一端に接続され、トランジスタＱ３のベースが抵抗Ｒ６を介して抵抗Ｒ１の他端及び抵抗Ｒ２の他端に接続されるとともに抵抗Ｒ７を介してトランジスタＱ４のコレクタに接続される。また、トランジスタＱ４のエミッタがグランド電位に接続され、トランジスタＱ４のベースが抵抗Ｒ８を介してトランジスタＱ３のコレクタに接続されるとともに抵抗Ｒ９を介してグランド電位に接続される。
【００２８】
ダイオードＤ１のアノードが抵抗Ｒ１の一端及び抵抗Ｒ２の一端に接続され、ダイオードＤ１のカソードが抵抗Ｒ１０を介してトランジスタＱ５のエミッタに接続される。トランジスタＱ５のコレクタがトランジスタＱ１のベース及びツェナーダイオードＺＤ１のカソードの接続ノードに接続され、トランジスタＱ５のベースが抵抗Ｒ１１を介してグランド電位に接続される。また、ダイオードＤ２のアノードがトランジスタＱ３のコレクタに接続され、ダイオードＤ２のアノードがトランジスタＱ５のベースに接続されるとともに抵抗Ｒ１２を介してトランジスタＱ５のエミッタに接続される。さらに、ダイオードＤ２のアノードがコンデンサＣ３の一端に接続され、コンデンサＣ３の他端がグランド電位に接続される。
【００２９】
続いて、上記のような回路構成である、ＵＳＢポート１の電源供給ピン１１への電源供給に関連する部分の回路動作について説明する。
【００３０】
尚、ＵＳＢポート１の電源供給ピン１１への電源供給に関連する部分の各回路素子の回路定数は、ＵＳＢポート１の電源供給ピン１１に供給される電流が３８９［ｍＡ］以上になるとトランジスタＱ２がオンになり、ＵＳＢポート１の電源供給ピン１１に供給される電流が５２０［ｍＡ］以上になるとトランジスタＱ３がオンになるように、設定されている。
【００３１】
また、トランジスタＱ１及びツェナーダイオードＺＤ１が直流安定化電源として機能している。
【００３２】
また、抵抗Ｒ１及びＲ２から成る並列回路と抵抗Ｒ３及びＲ４から成る並列回路はそれぞれ、ＵＳＢポート１の電源供給ピン１１に供給される電流を検出する電流検出回路として機能している。電流検出回路を直流安定化電源の出力側に設ける回路構成では、大電流が流れた場合に電流検出回路での電圧降下の影響によりＵＳＢポートの電源供給ピンに供給する電圧を４．７５〜５．２５［Ｖ］の範囲に収めることが困難となり、各回路素子の回路定数の精度が要求されることになり、コストが増大してしまう。これに対して、本発明のように、電流検出回路を直流安定化電源の入力側に設ける回路構成では、大電流が流れた場合でも電流検出回路での電圧降下がＵＳＢポート１の電源供給ピン１１に供給する電圧に及ぼす影響が小さくなり、ＵＳＢポート１の電源供給ピン１１に供給する電圧を４．７５〜５．２５［Ｖ］の範囲に収めることが容易になり、各回路素子の回路定数の精度がさほど要求されないので、低コスト化を図ることができる。
【００３３】
まず、ＵＳＢポート１の電源供給ピン１１に供給される電流が３８９［ｍＡ］未満の場合について説明する。
【００３４】
ＵＳＢポート１の電源供給ピン１１に供給される電流が３８９［ｍＡ］未満の場合、抵抗Ｒ３及びＲ４から成る並列回路での電圧降下がトランジスタＱ２のベース・エミッタ間閾値電圧よりも小さいため、トランジスタＱ２がオフになり、抵抗Ｒ３の一端及び抵抗Ｒ４の一端とトランジスタＱ１のエミッタとの間をバイパスするバイパス経路がトランジスタＱ２により遮断される。
【００３５】
また、ＵＳＢポート１の電源供給ピン１１に供給される電流が３８９［ｍＡ］未満の場合、抵抗Ｒ１及びＲ２から成る並列回路での電圧降下がトランジスタＱ３のベース・エミッタ間閾値電圧よりも小さいため、トランジスタＱ３がオフになる。
【００３６】
トランジスタＱ３のオフに伴って、トランジスタＱ５がオンになり、ツェナーダイオードＺＤ１がオン状態になり、トランジスタＱ１がオンになり、トランジスタＱ１のコレクタ・エミッタ間電圧によって降圧され４．７５〜５．２５［Ｖ］の範囲に安定化された電圧がＵＳＢポート１の電源供給ピン１１に供給される。
【００３７】
したがって、ＵＳＢポート１の電源供給ピン１１に供給される電流が３８９［ｍＡ］未満の場合における、ＵＳＢポート１の電源供給ピン１１への電源供給に関連する部分の等価回路は、図２のようになる。
【００３８】
次に、ＵＳＢポート１の電源供給ピン１１に供給される電流が３８９［ｍＡ］以上５２０［ｍＡ］未満の場合について説明する。
【００３９】
ＵＳＢポート１の電源供給ピン１１に供給される電流が３８９［ｍＡ］以上５２０［ｍＡ］未満の場合、抵抗Ｒ３及びＲ４から成る並列回路での電圧降下がトランジスタＱ２のベース・エミッタ間閾値電圧以上であるため、トランジスタＱ２がオンになり、抵抗Ｒ３の一端及び抵抗Ｒ４の一端とトランジスタＱ１のエミッタとの間をバイパスするバイパス経路が導通する。
【００４０】
当該バイパス経路が導通することにより、トランジスタＱ１で発生するコレクタ・エミッタ間飽和電圧による電圧降下を軽減することができる。これにより、トランジスタＱ１における発熱を抑制することができるので、トランジスタＱ１の近傍に放熱板を設けなくても済む。また、これにより、トランジスタＱ１のコレクタ・エミッタ間電圧による降圧量が大きく変動しないため、トランジスタＱ１のベース電圧を細かく制御しなくても済み、本実施形態のように、ツェナーダイオードＺＤ１のツェナー電圧による制御が可能となる。
【００４１】
尚、上記バイパス経路並びに上記バイパス経路上のトランジスタＱ２及び抵抗Ｒ５を廃止することも可能であるが、かかる廃止を実施する場合には必要に応じて、トランジスタＱ１の近傍に放熱板を設ける対策や、ツェナーダイオードＺＤ１をシャントレギュレータに代え、電源供給ピン１１に供給される電圧を分圧して当該シャントレギュレータのリファレンス端子に供給する分圧回路を設ける対策を施すとよい。また、上記バイパス経路並びに上記バイパス経路上のトランジスタＱ２及び抵抗Ｒ５を廃止しない場合でも必要に応じて、トランジスタＱ１の近傍に放熱板を設ける構成や、ツェナーダイオードＺＤ１をシャントレギュレータに代え、電源供給ピン１１に供給される電圧を分圧して当該シャントレギュレータのリファレンス端子に供給する分圧回路を設ける構成を採用してもよい。
【００４２】
また、ＵＳＢポート１の電源供給ピン１１に供給される電流が３８９［ｍＡ］以上５２０［ｍＡ］未満の場合、抵抗Ｒ１及びＲ２から成る並列回路での電圧降下がトランジスタＱ３のベース・エミッタ間閾値電圧よりも小さいため、トランジスタＱ３がオフになる。
【００４３】
トランジスタＱ３のオフに伴って、トランジスタＱ５がオンになり、ツェナーダイオードＺＤ１がオン状態になり、トランジスタＱ１がオンになり、トランジスタＱ１のコレクタ・エミッタ間電圧によって降圧され４．７５〜５．２５［Ｖ］の範囲に安定化された電圧がＵＳＢポート１の電源供給ピン１１に供給される。
【００４４】
したがって、ＵＳＢポート１の電源供給ピン１１に供給される電流が３８９［ｍＡ］以上５２０［ｍＡ］未満の場合における、ＵＳＢポート１の電源供給ピン１１への電源供給に関連する部分の等価回路は、図３のようになる。
【００４５】
最後に、ＵＳＢポート１の電源供給ピン１１に供給される電流が５２０［ｍＡ］以上の場合について説明する。
【００４６】
ＵＳＢポート１の電源供給ピン１１に供給される電流が５２０［ｍＡ］未満から５２０［ｍＡ］以上に切り替わった直後は、トランジスタＱ１及びＱ２がオンであり、このとき、抵抗Ｒ１及びＲ２から成る並列回路での電圧降下がトランジスタＱ３のベース・エミッタ間閾値電圧以上になるため、トランジスタＱ３がオンになる。
【００４７】
トランジスタＱ３のオンに伴って、トランジスタＱ５がオフになり、ツェナーダイオードＺＤ１がオフ状態になり、トランジスタＱ１がオフになる。トランジスタＱ１がオフになると、抵抗Ｒ１及びＲ２から成る並列回路に電流が流れなくなるが、トランジスタＱ４がオンになることによりトランジスタＱ３のオン状態が継続する。トランジスタＱ４及び抵抗Ｒ７〜Ｒ９から成る回路が請求項に記載されている「制御部」の一例である。
【００４８】
したがって、ＵＳＢポート１の電源供給ピン１１に供給される電流が５２０［ｍＡ］以上の場合における、ＵＳＢポート１の電源供給ピン１１への電源供給に関連する部分の等価回路は、図４のようになり、ＵＳＢポート１の電源供給ピン１１に接続される電源供給ラインに対して過電流保護がかかっていることがわかる。そして、一旦過電流保護がかかれば、図１に示す本発明に係る液晶テレビをシャットオフしない限り、過電流保護から復帰しない。
【００４９】
また、図１及び図４から明らかなように、図１に示す本発明に係る液晶テレビでは、ＵＳＢポート１の電源供給ピン１１に接続される電源供給ラインの過電流保護をマイコン２のＩ／Ｏポートを用いることなく実現することができる。
【００５０】
昨今の電子機器はデジタル化が進み、ファームウェアへの依存が高まっているが、マイコンのＩ／Ｏポート数は有限である。このため、本発明のように、ＵＳＢポートの電源供給ピンに接続される電源供給ラインの過電流保護をマイコンのＩ／Ｏポートを用いることなく実現することにより、過電流保護に用いなかったマイコンのＩ／Ｏポートを他の用途に有効活用できる意義は大きい。
【００５１】
以上、本発明に係る実施形態について説明したが、本発明の範囲はこれに限定されるものではなく、発明の主旨を逸脱しない範囲で種々の変更を加えて実行することができる。
【符号の説明】
【００５２】
１  ＵＳＢポート
２  マイコン
３  負荷
４  リモコン受光部
５  操作キー
１１  電源供給ピン
１２  データ＋ピン
１３  データ−ピン
２４  グランドピン
３１  チューナ部
３２  映像回路
３３  音声回路
３４  液晶表示部
３５  スピーカ
Ｃ１〜Ｃ３  コンデンサ
Ｄ１、Ｄ２  ダイオード
Ｑ１〜Ｑ５  トランジスタ
Ｒ１〜Ｒ１２  抵抗
ＺＤ１  ツェナーダイオード
【図１】
2010282574.tif 000003
【図２】
2010282574.tif 000004
【図３】
2010282574.tif 000005
【図４】
2010282574.tif 000006